(57)【要約】      （修正有）【課題】方眼紙等に記載された罫線の読取、加工、修正等を容易に行うことができる画像形成装置を提供する。【解決手段】方眼紙等の原稿に記載された情報を光学的に読取り、読取データを生成する原稿読取手段４０と、原稿読取手段４０により生成された読取データから方眼紙の背景を形成する罫線のパターン情報を抽出する罫線パターン情報抽出手段４２と、抽出された罫線パターン情報に基づき罫線描画範囲および罫線間隔を含む罫線データを設定する罫線データ設定手段４４と、罫線データに基づき罫線メタデータを作成する形成メタデータ作成手段４６と、作成された罫線メタデータを読取データに埋め込む罫線メタデータ埋め込み手段４８とを有する。【選択図】図３
2008181354.tif 000002
【特許請求の範囲】
【請求項１】
読取対象に記載された情報を光学的に読取り、読取データを生成する読取手段と、
前記読取データから読取対象の背景を形成する罫線のパターン情報を抽出する抽出手段と、
前記罫線のパターン情報に基づき罫線描画範囲および罫線間隔を含む罫線情報を設定する設定手段と、
前記罫線情報を前記読取データに付加して保存する保存手段と、
を有する画像読取装置。
【請求項２】
前記抽出手段は、前記読取データの各画素の濃淡情報をＸ方向およびＹ方向に投影して得られたヒストグラムに基づき罫線のパターン情報を抽出する、請求項１に記載の画像読取装置。
【請求項３】
前記設定手段は、罫線のパターン情報に基づき罫線の原点位置を設定する、請求項１または２に記載の画像読取装置。
【請求項４】
前記設定手段は、罫線の原点位置を入力するユーザ入力手段を含む、請求項３に記載の画像読取装置。
【請求項５】
前記設定手段は、罫線の原点位置に基づき罫線描画範囲を設定する、請求項３または４に記載の画像読取装置。
【請求項６】
前記設定手段は、罫線の原点位置に基づき読取対象の中心を点対称として罫線描画範囲を設定する、請求項５に記載の画像形成装置。
【請求項７】
前記設定手段は、罫線間隔を入力するユーザ入力手段を含む、請求項１に記載の画像読取装置。
【請求項８】
前記付加手段は、前記罫線情報をテキスト情報として前記読取データと独立して保存する、請求項１に記載の画像読取装置。
【請求項９】
前記付加手段は、前記罫線情報としてＸＰＳ形成により作成された罫線メタ情報を前記読取データに埋め込む、請求項８に記載の画像読取装置。
【請求項１０】
請求項１ないし９いずれか１つに記載の画像読取装置と、
前記画像読取装置に接続された電子機器とを含み、
前記電子機器は、前記画像読取装置に保存された読取データを取得する取得手段と、取得された読取データに含まれる罫線情報に従い読取データの印刷を指示する印刷指示手段とを有する、画像印刷システム。
【請求項１１】
前記電子機器はさらに、前記読取データに含まれる罫線情報を変更するユーザ入力手段を含む、請求項１０に記載の画像印刷システム。
【請求項１２】
読取対象に記載された情報を光学的に読取り、読取データを生成するステップと、
前記読取データから読取対象の背景を形成する罫線のパターン情報を抽出するステップと、
前記罫線のパターン情報に基づき罫線描画範囲および罫線間隔を含む罫線情報を設定する設定ステップと、
前記罫線情報を前記読取データに付加して保存するステップと、
を有する画像読取方法。
【請求項１３】
読取対象に記載された情報を光学的に読取り、読取データを生成するステップと、
前記読取データから読取対象の背景を形成する罫線のパターン情報を抽出するステップと、
前記罫線のパターン情報に基づき罫線描画範囲および罫線間隔を含む罫線情報を設定する設定ステップと、
前記罫線情報を前記読取データに付加して保存するステップと、
を有する画像読取プログラム。
【発明の詳細な説明】
【技術分野】
【０００１】
本発明は、罫線が描画された方眼紙等の原稿を読取るとき、読取データとは独立して罫線情報の加工、修正、保存等を行うことができる画像読取装置、画像読取方法、画像読取プログラムおよび画像印刷システムに関する。
【背景技術】
【０００２】
近年、原稿に描写されている情報を画像データとして読み取ることができるデバイスとしてスキャナが普及している。スキャナは、写真、文書、図面等の原稿を光学的に走査し、受光素子により受光した反射光または透過光の強度に基づき、画像データに変換し、情報を読み取る読取装置である。スキャナには、フラットベットスキャナやハンディスキャナ等がある。フラットベットスキャナは、原稿をガラス面に置き、読み取る方式を利用している。またハンディスキャナは、原稿を固定し、原稿上をスキャナでなぞることで読み取る方式を利用している。
【０００３】
例えば、原稿に予め印刷されている背景の罫線等にかすれやノイズがある場合、スキャナは、原稿に描写されている情報の読み取り作業を行っても、背景にある罫線情報を十分に読み取ることができない場合がある。このため、スキャナより読取られた情報をＰＣで閲覧したり、プリンタで印刷するとき、ユーザは、元の原稿に描写されていた情報を十分に得ることができない。こうした問題を解決するため、背景の罫線等で作成されている表を認識するための表認識方法が提案されている。
【０００４】
特許文献１は、表形式の帳票画像に対して、罫線にかすれやノイズが存在する場合でも、高精度に表を認識する表認識方法を提供するものである。罫線の交点を基に枠を抽出するため、罫線の一部がかすれていても正しく表を認識できる。また、枠抽出結果を利用して罫線のかすれを補正するため、罫線の交点がかすれていても正しく表を認識できる。
【０００５】
【特許文献１】特開平１１−５３４６６
【発明の開示】
【発明が解決しようとする課題】
【０００６】
スキャナは、解像度、コントラスト、シャープネス等を適切に設定することで認識レベルを調整し、原稿に描写されている情報を読み取ることができる。原稿として利用されることがある方眼紙は、例えば、１ｍｍ方眼紙であれば、１ｍｍ間隔の罫線の背景を有し、この背景は、１ｍｍ単位、５ｍｍ単位、１０ｍｍ単位に印刷濃度、または罫線太さの異なる罫線を有する。このような方眼紙の場合、スキャナは、認識レベルの範囲内で罫線を読み取ることができるが、印刷濃度が薄い罫線や細い罫線等を画像データとして読み取ることができず、背景情報の一部が欠落してしまうことがある。これにより、ユーザは、読み取られた画像データの閲覧または印刷時に、原稿に描写されていた情報を十分に得ることができない。
【０００７】
また、スキャナは、使用するＣＣＤ等の撮像素子の解像度を高めることにより、従来では読取ることができなかった罫線を読取ることができる。しかしながら、読み取られた画像データの情報量は、例えば解像度が１０倍になれば、白黒の画像データの情報量は、１００倍に増大してしまう。そうすると、ユーザは、情報量の大きい画像データを扱わなければならず、画像データの管理、編集等の作業が困難になり、これは実用的な解決方法とはいえない。
【０００８】
本発明は、このような課題を解決するものであり、読取対象の背景を形成する罫線の読取、加工、修正、印刷、閲覧等を容易に行うことができる画像読取装置、画像読取方法、画像読取プログラムおよび画像印刷システムを提供することを目的とする。
【課題を解決するための手段】
【０００９】
本発明に係る画像読取装置は、読取対象に記載された情報を光学的に読取り、読取データを生成する読取手段と、前記読取データから読取対象の背景を形成する罫線のパターン情報を抽出する抽出手段と、前記罫線のパターン情報に基づき罫線描画範囲および罫線間隔を含む罫線情報を設定する設定手段と、前記罫線情報を前記読取データに付加して保存する保存手段とを備えている。
【００１０】
好ましくは、前記抽出手段は、前記読取データの各画素の濃淡情報をＸ方向およびＹ方向に投影して得られたヒストグラムに基づき罫線のパターン情報を抽出する。前記設定手段は、罫線のパターン情報に基づき罫線の原点位置を設定する。また前記設定手段は、罫線の原点位置を入力するユーザ入力手段を含む。
【００１１】
好ましくは、前記設定手段は、罫線の原点位置に基づき罫線描画範囲を設定する。また前記設定手段は、罫線の原点位置に基づき読取対象の中心を点対称として罫線描画範囲を設定する。さらに前記設定手段は、罫線間隔を入力するユーザ入力手段を含む。
【００１２】
好ましくは、前記付加手段は、前記罫線情報をテキスト情報として前記読取データと独立して保存する。前記付加手段は、前記罫線情報としてＸＰＳ形成により作成された罫線メタ情報を前記読取データに埋め込む。
【００１３】
本発明に係る画像印刷システムは、画像読取装置と、前記画像読取装置に接続された電子機器とを含み、前記電子機器は、前記画像読取装置に保存された読取データを取得する取得手段と、取得された読取データに含まれる罫線情報に従い読取データの印刷を指示する印刷指示手段とを備えている。
【００１４】
好ましくは、前記電子機器はさらに、前記読取データに含まれる罫線情報を変更するユーザ入力手段を含む。
【００１５】
本発明に係る画像読取方法は、読取対象に記載された情報を光学的に読取り、読取データを生成するステップと、前記読取データから読取対象の背景を形成する罫線のパターン情報を抽出するステップと、前記罫線のパターン情報に基づき罫線描画範囲および罫線間隔を含む罫線情報を設定する設定ステップと、前記罫線情報を前記読取データに付加して保存するステップとを備えている。
【００１６】
本発明に係る画像読取プログラムは、読取対象に記載された情報を光学的に読取り、読取データを生成するステップと、前記読取データから読取対象の背景を形成する罫線のパターン情報を抽出するステップと、前記罫線のパターン情報に基づき罫線描画範囲および罫線間隔を含む罫線情報を設定する設定ステップと、前記罫線情報を前記読取データに付加して保存するステップとを備えている。
【発明の効果】
【００１７】
本発明によれば、読取データから罫線のパターン情報を抽出し、罫線のパターン情報に基づき罫線描画領域や罫線間隔を設定するようにしたので、読取対象の背景を形成する罫線を欠落することなくきれいにディスプレイに表示したり、印刷することができる。また、罫線描画領域や罫線間隔を含む罫線情報を個別に管理するので、罫線情報をユーザは適宜変更し、所望の罫線を設定することができる。さらに、罫線情報を読取データに埋め込むことで、読取データの印刷時に罫線情報の確認または変更を容易に行うことができる。
【発明を実施するための最良の形態】
【００１８】
以下、本発明を実施するための最良の形態について図面を参照して説明する。
【実施例】
【００１９】
図１は、本発明の実施例に係る画像印刷システムの構成例を示す図である。画像印刷システム１０は、原稿等の媒体に描画された情報を光学的に読取り、これを読取データに変換する読取機能および読取データを用紙等の媒体に印刷する印刷機能を含む画像形成装置１２と、画像形成装置１２にネットワークまたは専用ケーブルにより接続され、画像形成装置１２により読取られた読取データを受け取り、読取データの閲覧や印刷等の指示を行うユーザＰＣ１４と、ユーザＰＣ１４からの印刷指示によって読取データを印刷するプリンタ１６とを含んでいる。
【００２０】
図２は、画像形成装置のハードウェアの構成例を示す図である。画像形成装置１２は、タッチパネルや他のキーを操作し、ユーザからの指示を入力する入力部２０、読取設定画面や印刷設定画面等をディスプレイに表示する表示部２２、文書や画像等が記載された原稿を読取り、これを読取データに変換する読取部２４、読取データを紙等の媒体にプリントする印刷部２６、読取データをユーザＰＣ１４に送信するインターフェース２８、ＲＯＭまたはＲＡＭを含み、原稿を読取るためのプログラムや種々のデータ等を記憶する主記憶部３０、ハードディスク等の大容量記憶装置を含み、読取部２４によって読取られた読取データ等を蓄積する記憶部３２、プログラムに従い各部を制御する中央演算装置（ＣＰＵ）３４、およびこれらを接続するバス３６を含んでいる。
【００２１】
読取部２４は、ＣＣＤ等の撮像素子を含み、撮像素子によって光学的に走査された原稿の反射光を受光し、これを読取データに変換する。ユーザは、表示部２２に表示される読取設定画面に従い、タッチパネルやキーパット等の入力部２０を操作することにより、解像度、コントラストおよびシャープネス等の読取設定を指示し、読取部２４の認識レベルを調整することができる。また、インターフェース２８は、メモリーカード、ＵＳＢメモリ、ＣＤまたはＤＶＤ等のメディアデバイスに接続し、読取られた読取データをメディアデバイスに保存することもできる。
【００２２】
図３は本実施例における画像形成装置の機能的な構成を示すブロック図である。画像形成装置１２は、原稿に描画されている情報を読取る原稿読取手段４０と、原稿読取手段４０により読取られた読取データ５０から原稿の背景を形成する罫線のパターン情報を抽出する罫線パターン情報抽出手段４２と、罫線パターン情報抽出手段４２により抽出された罫線のパターン情報に基づき、罫線の原点位置、罫線描画範囲および罫線間隔等を含む罫線データを設定する罫線データ設定手段４４と、罫線データ設定手段４４により設定された罫線データに基づき罫線メタデータ５２を作成する罫線メタデータ作成手段４６と、罫線メタデータ作成手段４６により作成された罫線メタデータ５２を読取データ５０に埋め込む罫線メタデータ埋め込み手段４８から構成されている。罫線メタデータ埋め込み手段４８により罫線データ５２を埋め込まれた読取データ５０は、記憶部３２に保存され、また、インターフェース２８を介してユーザＰＣ１４に送信される。
【００２３】
次に、画像形成装置による読取動作について図４のフローを参照して説明する。原稿読取手段４０は、読取部２４にセットされた原稿を読取る（ステップＳ１０１）。本実施例では、読取対象として、原稿に罫線が記載された方眼紙を例にとる。方眼紙６０は、図５（ａ）に示すように、例えば１ｍｍ間隔の罫線６２と、５ｍｍ間隔の罫線６４と、１０ｍｍ間隔の罫線６６により形成され、縦方向および横方向に描かれた各種罫線が直角に交わり、多数の方形が形成された罫線パターン６８を有する。罫線パターン６８の原点位置Ｏは、座標（Ｘｍｉｎ，Ｙｍｉｎ）により表され、罫線描画範囲Ｐは、原点位置Ｏと座標（Ｘｍａｘ，Ｙｍａｘ）の矩形範囲により表すことができる。このような方眼紙６０には、画像データとして、例えば実験等で測定した測定値Ａ、Ｂ、Ｃがプロットされ、また「実験データ」などの描画文字が記載されている。
【００２４】
原稿読取手段４０は、読取設定により設定された解像度が十分でないと、図５（ｂ）に示すように、一定幅より細い罫線６２、６４をうまく読取ることができず、太い罫線６６のみが読取られる。このため、読取データから罫線６２、６４の一部が欠落したり、あるいは罫線がかすれてしまう。
【００２５】
原稿読取手段４０によって読み取られた読取データは、一時的に主記憶部３０に記憶される。次に、罫線パターン情報抽出手段４２は、主記憶部３０に記憶されている読取データを読み込み、読取データから罫線パターンを抽出する（ステップＳ１０２）。罫線パターン情報抽出手段４２は、好ましくは、読取データの各画素のコントラスト（濃淡情報）をＸ方向およびＹ方向に投影するように加算し、図６に示すようなヒストグラムを作成する。図６に示すヒストグラムは、横軸にＸ方向の座標位置を示し、縦軸にコントラストの加算値を示している。罫線パターン情報抽出手段４２は、作成されたヒストグラムから一定のしきい値Ｔを超えるコントラストＳから罫線パターンを抽出する。例えば、図５（ｂ）に示すような読取データであれば、その太い罫線６６に対応するコントラストＳが間隔ｄで分布するパターンを得ることができる。なお、ヒストグラムの作成は、すべての画素のコントラストを加算してＸ軸、Ｙ軸に投影してもよいが、一定の画素間隔でそれらのコントラストを加算するようにしてもよい。
【００２６】
次に、罫線パターン情報抽出手段４２は、抽出された罫線パターンに一定の規則性があれば罫線と認識し、そうでない場合には罫線と認識できないと判定する（ステップＳ１０３）。罫線であると認識できる場合には、罫線データ設定手段４４により罫線データの設定を開始する（ステップＳ１０４）。
【００２７】
罫線データ設定手段４４は、罫線パターンから原点位置Ｏを算出する（ステップＳ１０５）。例えば図６に示すヒストグラムから得られた罫線パターンであれば、コントラストＳ０の位置がＸ方向の原点位置Ｏとなる。同様の罫線パターンからＹ軸方向のコントラストの位置から原点位置を算出することができる。
【００２８】
罫線データ設定手段４４により原点位置Ｏが算出されると、表示部２２は、原点位置入力画面を提示し、ユーザに原点位置の確認または補正を促す（ステップＳ１０６）。表示部２２は、例えば、方眼紙６０の左端部Ｅ１、右端部Ｅ２、および図示しないが方眼紙の上端部と下端部によって規定される方眼紙６０の外形とともに、原点位置Ｏを表示する。ユーザは、表示部２２の表示を見て、必要であれば入力部２０を介して原点位置Ｏを補正する。
【００２９】
罫線データ設定手段４４は、原点位置Ｏが決定すると、次に、罫線描画範囲Ｐを算出する（ステップＳ１０７）。好ましくは、罫線データ設定手段４４は、図６に示すように方眼紙６０のＸ軸方向の左端部Ｅ１と右端部Ｅ２、Ｙ軸方向の上端部と下端部（図示省略）から方眼紙６０の中心を算出する。そして、原点位置Ｏを方眼紙６０の中心を点対称とする矩形領域を算出し、これを罫線描画範囲Ｐとする。あるいは、方眼紙６０のＸ軸方向の左端部Ｅ１から原点位置Ｏまでの距離Ｄ１、右端部Ｅ２からコントラストＳｎまでの距離Ｄ２を算出し、同様に、Ｙ軸方向に上端部および下端部から上下のコントラストまでの距離を算出し、これら４点に囲まれる矩形領域を罫線描画範囲Ｐとするようにしてもよい。
【００３０】
次に、罫線データ設定手段４４は、罫線パターンから罫線間隔ｄを算出する（ステップＳ１０８）。図６に示すヒストグラムから得られた罫線パターンは、Ｘ軸方向に間隔ｄのコントラストＳ０、Ｓ１、・・・Ｓｎを含んでおり、このコントラストの間隔ｄをＸ軸方向の罫線間隔ｄとすることができる。同様に、Ｙ軸方向に投影されたコントラストの間隔ｄをＹ軸方向の罫線間隔ｄとすることができる。
【００３１】
罫線データ設定手段４４により罫線間隔ｄが算出されると、表示部２２は、罫線間隔入力画面を提示し、ユーザに罫線間隔ｄの確認または補正を促す（ステップＳ１０９）。表示部２２は、例えば、方眼紙６０の外形および罫線描画範囲Ｐとともに、罫線間隔ｄを表示する。罫線間隔ｄはさらに数字によって表示されるようにしてもよい。ユーザは、表示部２２の罫線を見て、必要であれば入力部２０を介して罫線間隔ｄを入力する。
【００３２】
こうして罫線データ設定手段による罫線データの設定が終了すると、次に、罫線メタデータ作成手段４６は、罫線データ設定手段４４により設定された罫線データに基づき罫線メタデータ５２を作成する（ステップＳ１１０）。罫線メタデータ５２は、例えばＸＰＳ（XML Paper Specification）ドキュメントと呼ばれるＸＭＬベースのフォーマットにより作成され、原点位置Ｏの座標（Ｘｍｉｎ，Ｙｍｉｎ）、罫線描画範囲Ｐの座標（Ｘｍａｘ，Ｙｍａｘ）および罫線間隔ｄ等の特徴をキーワードで表している。この罫線メタデータ５２は、読取データ５０のうち実際に描画される描画データとは独立したデータである。罫線メタデータ５２はさらに、罫線の印刷濃度や罫線の太さ等の情報を含むものであってもよい。
【００３３】
次に、罫線メタデータ埋め込み手段４８は、作成された罫線メタデータ５２を読取データ５０に埋め込む（ステップＳ１１１）。罫線メタデータ埋め込み手段４８は、好ましくは、読取データ５０から罫線パターンが抽出（削除）した描画データに罫線メタデータ５２を埋め込む。上記したように罫線メタデータは、実際の描画データとして保存されず、罫線の特徴を示すキーワードとして保存される。これにより、画像データのサイズを小さくすることができる。
【００３４】
図１に示すユーザＰＣ１４は、画像形成装置１２によって作成、保存された読取データ５０を取得し、読取データをプリンタ１６に印刷させることができる。ユーザＰＣ１４は、読取データ５０を受け取ると、読取データ５０に含まれる罫線メタデータ５２を解読し、罫線メタデータ５２に従い読取データ５０を印刷させることができる。印刷結果は、罫線が抜け落ちることなく、ユーザ所望の罫線が描画される。
【００３５】
次に、読取データの印刷を行うユーザＰＣについて説明する。ユーザＰＣ１４は、図７に示すように、キーボード等の操作により情報を入力する入力部７０、ディスプレイに文字、図形等の情報を表示する表示部７２、プリンタ１６の印刷を制御するプリンタドライバ等のプログラムや種々のデータ等を記憶する主記憶部７４、ハードディスク等の大容量記憶装置を含む記憶部７６、画像形成装置１２やプリンタ１６等の外部装置に接続するインターフェース７８、ＣＰＵ８０、およびこれらを接続するバス８２を含んでいる。
【００３６】
図８は、本実施例に係るユーザＰＣの読取データの更新を行うときの機能的な構成を示すブロック図である。ユーザＰＣ１４は、画像形成装置１２により罫線メタデータ５２が付加された読取データ５０を取得する読取データ取得手段９０と、読取データ取得手段９０により取得された読取データ５０からメタデータを抽出するメタデータ抽出手段９２と、メタデータ抽出手段９２により抽出されたメタデータが罫線メタデータ５２であるか否かを判定する罫線メタデータ判定手段９４と、罫線メタデータ５２の設定を行う罫線データ設定手段９６と、罫線データ設定手段９６により設定された罫線データに基づき罫線メタデータ５２を更新する罫線メタデータ更新手段９８と、罫線メタデータ更新手段９８により更新された罫線メタデータ５２を読取データ５０に埋め込む罫線メタデータ埋め込み手段１００から構成されている。
【００３７】
図９は、ユーザＰＣによる読取データを更新するときの動作フローである。まず、読取データ取得手段９０は、ネットワークを介し接続された画像形成装置１２から罫線メタデータ５２が埋め込まれた読取データ５０を取得する（ステップＳ２０１）。次に、罫線メタデータ抽出手段９２は、取得された読取データ５０からメタデータを抽出する（ステップＳ２０２）。次に、罫線メタデータ判定手段９４は、抽出されたメタデータが罫線メタデータ５２であるか否かを判定する（ステップＳ２０３）。
【００３８】
抽出されたメタデータが罫線メタデータである場合、罫線データ設定手段９６は、表示部７２に罫線データ設定画面を表示させる（ステップＳ２０４）。罫線データ設定画面は、抽出された罫線メタデータ５２に含まれる原点位置Ｏ、罫線描画範囲Ｐ、罫線間隔ｄ、罫線の印刷濃度、罫線の太さを含んでいる。ユーザは、表示された罫線データの補正を望む場合には、入力部７０を介して罫線データを変更する（ステップＳ２０５）。例えば、当初の罫線間隔ｄが１ｍｍに設定されているとき、罫線間隔ｄを５ｍｍに変更することができる。罫線データ設定手段９６は、罫線データの変更があったとき、罫線データを更新する（ステップＳ２０６）。
【００３９】
罫線メタデータ更新手段９８は、罫線データ設定手段９６により設定された罫線データに従い罫線メタデータ５２を更新する（ステップＳ２０７）。最後に罫線メタデータ埋め込み手段１００は、読取データ５０に更新された罫線メタデータ５２を埋め込む（ステップＳ２０８）。こうして、罫線メタデータ５２を認識することができるアプリケーションやデバイスは、罫線メタデータ５２に基づき、描画データと独立して罫線の加工、修正等を行うことができる。ユーザＰＣ１４はもちろん、取得した読取データ５０を罫線データに従いプリンタ１６に印刷させたり、表示部７２に表示させることができる。
【００４０】
上記実施例では、図５（ａ）に示すような一般的な方眼紙を使用したが、これ以外にも対数、表等が記載された用紙であってもよい。また、罫線データ設定手段は、罫線の印刷濃度、罫線の線種、罫線の太さ、罫線の色等の他の情報も併せて設定することが可能であり、これらの設定は、印刷のモードに合わせて適宜変更することができる。例えば薄青色を示す罫線データであっても、白黒印刷モードでは、薄墨色として印刷することができる。
【００４１】
さらに上記実施例では、罫線データ設定手段は、ユーザからの入力に基づき罫線データを設定可能としたが、画像形成装置１２やユーザＰＣ１４が種々の罫線パターンを記憶しておき、その罫線パターンに基づき罫線データを設定できるようにしてもよい。
【００４２】
上記実施例は例示的なものであり、これによって本発明の範囲が限定的に解釈されるべきものではなく、本発明の構成要件を満足する範囲内で他の方法によっても実現可能であることは言うまでもない。
【産業上の利用可能性】
【００４３】
本発明に係る画像読取装置は、スキャナ、複写機等において利用される。
【図面の簡単な説明】
【００４４】
【図１】本発明の実施例に係る画像印刷システムの構成例を示す図である。
【図２】画像形成装置の構成例を示す図である。
【図３】本実施例に係る画像形成装置の機能的な構成を示すブロック図である。
【図４】本実施例に係る画像形成装置の読取動作を説明する動作フローである。
【図５】図５（ａ）は、読取対象としての方眼紙の例を示す図である。図５（ｂ）は、方眼紙が読取られたときの読取データの例を示す図である。
【図６】図５に示す方眼紙の読取データから得られたＸ軸方向のヒストグラムを示す図である。
【図７】ユーザＰＣの構成例を示す図である。
【図８】本実施例のユーザＰＣの機能的な構成を示すブロック図である。
【図９】ユーザＰＣにおける読取データの更新動作を示すフローチャートである。
【００４５】
１０：画像印刷システム                １２：画像形成装置
１４：ユーザＰＣ                      １６：プリンタ
４０：原稿読取手段                    ４２：罫線パターン情報抽出手段
４４：罫線データ設定手段              ４６：罫線メタデータ作成手段
４８：罫線メタデータ埋め込み手段      ５０：読取データ
５２：罫線メタデータ                  ９０：読取データ取得手段
９２：メタデータ抽出手段              ９４：罫線メタデータ判定手段
９６：罫線データ設定手段              ９８：罫線メタデータ更新手段
１００：罫線メタデータ埋め込み手段
【図１】
2008181354.tif 000003
【図２】
2008181354.tif 000004
【図３】
2008181354.tif 000005
【図４】
2008181354.tif 000006
【図５】
2008181354.tif 000007
【図６】
2008181354.tif 000008
【図７】
2008181354.tif 000009
【図８】
2008181354.tif 000010
【図９】
2008181354.tif 000011